(57)【要約】【課題】  コの字状またはＵ字状のランプを箱に入れて運搬などを行う場合にランプの揺動、破損などを防止するためのランプの梱包用保持具を提供する。【解決手段】  ２本の隔置された管からなる脚部３と、前記管が連結された連結部４とを備えるランプ２を複数本保持するためのランプの梱包用保持具１であって、保持具１が、ランプ保護箱７と、第１のランプ保持部８と、第２のランプ保持部９とを備え、第１のランプ保持部８が、ランプ２の脚部３の内側に配置されて、ランプ２をランプ保護箱７の内面に押圧する構造を有し、ランプ保護箱７と第２のランプ保持部９とが、ランプ２の長手方向の動きを規制する構造を有する梱包用保持具１とする。【選択図】  図１
2005247426.tif 000002
【特許請求の範囲】
【請求項１】
２本の隔置された管からなる脚部と、前記管が連結された連結部とを備えるランプを複数本保持するためのランプの梱包用保持具であって、
前記保持具が、ランプ保護箱と、第１のランプ保持部と、第２のランプ保持部とを備え、
前記第１のランプ保持部が、前記ランプの脚部の内側に配置されて、前記ランプを前記ランプ保護箱の内面に押圧し、
前記ランプ保護箱と前記第２のランプ保持部とが、前記ランプの長手方向の動きを規制することを特徴とするランプの梱包用保持具。
【請求項２】
前記第２のランプ保持部が、前記ランプの脚部の内側に配置されて、前記ランプを前記ランプ保護箱の内面に押圧する請求項１に記載のランプの梱包用保持具。
【請求項３】
前記ランプ保護箱が蓋部を備え、前記蓋部と前記第２のランプ保持部とが、前記ランプの長手方向の動きを規制する請求項１または２に記載のランプの梱包用保持具。
【請求項４】
前記蓋部が突起部を備え、前記ランプ保護箱が指穴を備え、前記突起部が前記指穴に係合可能である請求項３に記載のランプの梱包用保持具。
【請求項５】
前記ランプ保護箱が、前記ランプの点灯検査用窓部を備えている請求項１〜４のいずれかに記載のランプの梱包用保持具。
【請求項６】
前記ランプ保護箱が、梱包治具挿入用窓部を備えている請求項１〜５のいずれかに記載のランプの梱包用保持具。
【請求項７】
前記ランプ保護箱が、外圧緩衝用の突出片を備えている請求項１〜６のいずれかに記載のランプの梱包用保持具。
【請求項８】
前記第１のランプ保持部および前記第２のランプ保持部から選ばれる少なくとも一方の表面が、前記ランプの外形に沿った波形で形成されている請求項１〜７のいずれかに記載のランプの梱包用保持具。
【請求項９】
前記ランプ保護箱が、第１のランプ保護箱と第２のランプ保護箱からなる請求項１〜８のいずれかに記載のランプの梱包用保持具。
【発明の詳細な説明】
【技術分野】
【０００１】
本発明は、Ｕ字状のランプを箱に入れて運搬などを行う場合にランプの揺動、破損などを防止するためのランプの梱包用保持具に関する。
【背景技術】
【０００２】
従来、直管状の蛍光ランプなどを箱に入れて運搬などを行う場合にランプの揺動、破損などを防止するために、ランプの輸送ケースが用いられていた（例えば、特許文献１参照。）。
【０００３】
この従来の輸送ケースは、特許文献１の図１に示すように、所要複数本の蛍光ランプを並列状態にて収納自在にダンボール素材にて角筒状に一体に曲成されている内ケースと、この内ケースを収納自在にダンボール素材にて角筒状にかつ両端を閉鎖して形成されている外ケースとからなる。また、上記内ケースの各コーナー部には、このコーナー部がダンボール素材を折曲して形成されることで外ケース内面に当接可能に外側へ突出する複数の空間構成用突出片を、長さ方向へ一定の間隔をおいて一体に突設している。これにより、内、外両ケース間にあって、内ケースの周りに緩衝用空間を設けている。
【０００４】
また、２本管またはＵ字管型の蛍光ランプなどを箱に入れて運搬などを行う場合にランプの揺動、破損などを防止するために、２本管型蛍光ランプ用カートンが用いられていた（例えば、特許文献２参照。）。
【０００５】
この従来のカートンは、特許文献２の図１に示すように、一端においてベースに連結されてこのベースから長手方向に延びた２本の隔置された平行な管もしくは脚部材を有し、この２本の管もしくは脚部材はその間に予め定められたスペースが設けられていると共に、その長手方向の、上記ベースから隔たった一点において、横部材によって連結されている形式の２本管型蛍光ランプを収納するためのカートンである。このカートンは、第１前面パネル、第１および第２側面パネル、後面パネル、第２前面パネルおよび止めパネルを有する角筒スリーブから成り、上記パネルはほぼ平行な折り目に沿ってヒンジ状に連結されている。上記止めパネルの表面は、上記側面パネルにほぼ平行であると共に上記前面および後面パネルの両方に垂直である。上記止めパネルは、ランプのベースと脚部材を連結する横部材との間で、脚部材を隔離する長手方向スペースにこの止めパネルが嵌り込むのを可能とする長さおよび厚さを有する。上記第２前面パネルは、上記止めパネルに連結されている。
【特許文献１】実開平７−１７７８７号公報
【特許文献２】特開平３−６３７号公報
【発明の開示】
【発明が解決しようとする課題】
【０００６】
上記従来の輸送ケースやカートンは、管径が比較的大きなランプを保持することを目的に形成されている。一方、最近では液晶ディスプレイパネル用のバックライトなど、管径が２〜３ｍｍのランプが用いられるようになっている。しかし、従来の輸送ケースやカートンでは、このような細管のランプの揺動、破損などを十分に防止することができなかった。このため、特に外力に対して強度が弱いＵ字状の細管ランプを箱に入れて運搬などを行う場合において、ランプの揺動、破損などを防止するためのランプの梱包用保持具が求められていた。
【課題を解決するための手段】
【０００７】
本発明は、２本の隔置された管からなる脚部と、前記管が連結された連結部とを備えるランプを複数本保持するためのランプの梱包用保持具であって、前記保持具が、ランプ保護箱と、第１のランプ保持部と、第２のランプ保持部とを備え、前記第１のランプ保持部が、前記ランプの脚部の内側に配置されて、前記ランプを前記ランプ保護箱の内面に押圧し、前記ランプ保護箱と前記第２のランプ保持部とが、前記ランプの長手方向の動きを規制するランプの梱包用保持具を提供する。
【発明の効果】
【０００８】
(1) 本発明の保持具は、請求項１に記載の構成を有することにより、Ｕ字状のランプを箱に入れて運搬などを行う場合にランプの揺動または外衝撃による破損などを防止できる。また、ランプを梱包する際にテープ止めなどの作業が不要となり、ランプの梱包作業が簡素化できる。
【０００９】
(2) 本発明の保持具は、請求項２に記載の構成を有することにより、ランプの揺動をより効果的に防止できる。
【００１０】
(3) 本発明の保持具は、請求項３に記載の構成を有することにより、ランプの出し入れが容易となる。
【００１１】
(4) 本発明の保持具は、請求項４に記載の構成を有することにより、蓋部の開閉が容易になると共に、ランプ保護箱への斜め衝撃などによる歪み力からランプを保護できる。
【００１２】
(5) 本発明の保持具は、請求項５に記載の構成を有することにより、ランプを保持具に入れたまま点灯検査が可能となる。
【００１３】
(6) 本発明の保持具は、請求項６に記載の構成を有することにより、保持具にランプを収納する作業を専用の梱包治具を用いて行うことができ、ランプの梱包作業をより効率化できる。
【００１４】
(7) 本発明の保持具は、請求項７に記載の構成を有することにより、外衝撃をより効果的に防止できる。
【００１５】
(8) 本発明の保持具は、請求項８に記載の構成を有することにより、ランプの揺動をさらに効果的に防止できる。
【００１６】
(9) 本発明の保持具は、請求項９に記載の構成を有することにより、１種類の保持具で長さの異なる複数の種類のランプに対応できる。
【発明を実施するための最良の形態】
【００１７】
以下、本発明の実施の形態を図面に基づき説明する。
【００１８】
（実施形態１）
先ず、本発明のランプの梱包用保持具の実施の形態について説明する。
【００１９】
図１は、本実施形態の保持具にランプを保持させた状態の斜視図Ａとそのランプの斜視図Ｂである。図２は、図１のＩ−Ｉ線矢視断面図である。図３は、本実施形態の保持具にランプを収納した状態の平面図である。図４は、本実施形態の保持具の組み立て前の展開平面図である。図５Ａ〜Ｆは、本実施形態の保持具を組み立てた後の六面図であり、図５Ａは平面図、図５Ｂは左側面図、図５Ｃは正面図、図５Ｄは右側面図、図５Ｅは底面図、図５Ｆは背面図である。図６は、本実施形態の保持具の蓋部の開閉方法を説明する要部斜視図である。なお、図１〜図６では、同一部分には同一符合を付した。
【００２０】
図１に示すように、保持具１に複数本収納・保持されるランプ２は、２本の隔置された管からなる脚部３と、この管が連結された連結部４とを備えている。また、ランプ２の両端５には、内部電極から引き出された端子部６が設けられている。保持具１は、ランプ保護箱７と、第１のランプ保持部８と、第２のランプ保持部９とを備えている。また、ランプ保護箱７は、ほぼ角筒状に形成され、外圧緩衝用の突出片１０ａ、１０ｂ、１０ｃを備えている。これにより、外衝撃をより効果的に防止してランプ２を保護できる。なお、ランプ２の種類によっては、端子部６を備えないランプもある。例えば、外部電極を用いたランプの場合である。また、ランプ保護箱７の側面には、梱包治具挿入用窓部１３が設けられている。なお、梱包治具については、後述する実施形態２で説明する。
【００２１】
また、図２に示すように、第１のランプ保持部８は、強度を増すために断面Ｕ字状に形成され、ランプ２の脚部３の内側に配置されている。第１のランプ保持部８は保持片１１を備え、保持片１１のスプリングバック作用により、ランプ２をランプ保護箱７の内面に押圧して保持している。これにより、ランプの横方向（図１のＩＩ−ＩＩ線方向）の動きが規制され、衝撃などが加わってもランプの重なりなどが防止できる。なお、第１のランプ保持部８の形成を、例えば段ボールなどの平らな紙板材を折り曲げて行うことにより、保持片１１に元の平らな紙板材への復元作用（スプリングバック作用）を付与することができる。また、第１のランプ保持部８の保持片１１は、ランプ２の両端５側に向けられている。これにより、万一ランプの一部が破損などしてランプの入れ替えの必要が生じた際に、保持片１１が障害とならずランプの挿入が容易となる。さらに、第１のランプ保持部８の表面を、複数本のランプ２の外形に沿った波形で形成することもでき、これによってさらにランプを安定的に保持できる。
【００２２】
第２のランプ保持部９は、断面Ｖ字状に形成され、ランプ２の脚部３の内側に配置されている。ランプ２の両端５は第２のランプ保持部９とランプ保護箱７との間に配置されていると共に、第２のランプ保持部９はスプリングバック作用により、ランプ２をランプ保護箱７の内面に押圧して保持している。なお、第２のランプ保持部９の形成を、例えば段ボールなどの平らな紙板材を折り曲げて行うことにより、第２のランプ保持部９に元の平らな紙板材への復元作用（スプリングバック作用）を付与することができる。また、第２のランプ保持部９の表面を、複数本のランプ２の外形に沿った波形で形成することもでき、これによってさらにランプを安定的に保持できる。
【００２３】
また、ランプ２の連結部４側には、ランプ保護箱７の一側面を形成する蓋部１２が配置されている。この蓋部１２と第２のランプ保持部９とにより、ランプ２の長手向の動きが規制され、衝撃などが加わってもランプ２の揺動、破損などを防止できる。但し、ランプ２の連結部４と蓋部１２とは、必ずしも接触している必要はなく、若干の隙間を設けたほうが、ランプ２や保持具１の寸法バラツキを吸収できるので好ましい。
【００２４】
また、図３に示すように、ランプ保護箱７の側面には、ランプ２の点灯検査用窓部１４ａ、１４ｂが設けられている。これにより、ランプ２を保持具１に収納したままで、点灯検査を行うことができる。なお、点灯検査は、点灯検査用窓部１４ａに高周波電圧を印加して、点灯検査用窓部１４ｂでランプ２の点灯状態を確認して行う。
【００２５】
第１のランプ保持具８は、ランプ保護箱７にランプ２を収納した後に、外側からランプ２の脚部３の内側（図３の８’の位置）に配置される。その際、第１のランプ保持部８の端部１５は、ランプ保護箱７に設けられた係止口１６に嵌合係止される。これにより、第１のランプ保持具８はランプ保護箱７に固定される。
【００２６】
また、図４および図５Ａ〜Ｆに示すように、保持具１は、段ボールなどの紙板材の打ち抜き加工により形成でき、ランプ保護箱７を形成する第１側面部１７ａ、１７ｂ、第２側面部１８、第３側面部１９、第４側面部２０を備えている。なお、図４において破線は折り目を示し、実線は外形線または切り目を示す。
【００２７】
第１側面部１７ａ、１７ｂには、係止口１６を形成するための打ち抜き部１６ａ１、１６ａ２、１６ｂ１、１６ｂ２が設けられている。ランプ保護箱７を組み立てた後には、打ち抜き部１６ａ１と１６ｂ２、および打ち抜き部１６ａ２と１６ｂ１とが重なり、それぞれ係止口１６を形成する。また、第１側面部１７ａには係合突起２１が設けられ、第１側面部１７ｂには係合突起２１が係合する係合用切り目２２が設けられている。保持具１を組み立てる際に、係合突起２１を係合用切り目２２に挿入することにより、ランプ保護箱７を角筒状に形成できる。また、第２側面部１８には、梱包治具挿入用窓部１３が設けられている。
【００２８】
また、第３側面部１９には、ランプ２の点灯検査用窓部１４ａ、１４ｂが設けられていると共に、その一端には指穴２３が設けられ、その他端には第２のランプ保持部９を形成するための折り曲げ部２４が設けられている。また、指穴２３の両側には、切り込み２５が設けられている。第４側面部２０には、ランプ２の点灯検査用窓部１４ａ、１４ｂが設けられていると共に、その一端には蓋部１２が設けられ、その他端には第２のランプ保持部９を形成するための折り曲げ部２４が設けられている。蓋部１２には、突起部１２ａが設けられている。
【００２９】
保持具１のほぼ中央部には、第１のランプ保持部８を形成するための折り曲げ部２６が設けられている。但し、折り曲げ部２６は、必ずしも保持具１の中央部に設ける必要はなく、保持具１の端部側に偏移して設けてもよい。なお、２７は開口部である。
【００３０】
また、図６Ａ、Ｂに示すように、蓋部１２を閉める際には、蓋部１２の突起部１２ａを指穴２３に挿入した後、ランプ保護箱７に設けられた切り込み２５の近傍のコーナー部２８を内側に折り返してロック部２９を形成する。これにより、蓋部１２の開口が規制されると共に、ランプ保護箱７への斜め衝撃などによる歪み力からランプを保護できる。また、蓋部１２を開口する際には、ロック部２９を折り返して元のコーナー部２８を復元することにより、蓋部１２の規制を解除すればよい。このように本実施形態の保持具１の蓋部１２は、開閉が容易である。
【００３１】
（実施形態２）
次に、本発明の保持具にランプを収納・保持する方法の実施の形態について説明する。
【００３２】
図７は、本実施形態の梱包治具の斜視図である。図８は、本実施形態の梱包治具を用いて実施形態１で説明した組み立て前の保持具にランプを収納中の平面図である。図９は、図８の側面図である。
【００３３】
図７に示すように、梱包治具３０は、基板３１と、ランプ位置決め保持支柱３２と、保持具載置部３３とを備えている。また、基板３１には、大型の開口部３４と小型の開口部３５とが設けられている。
【００３４】
梱包治具３０を用いて保持具１にランプ２を収納するには、図８および図９に示すように、保持具１の梱包治具挿入用窓部１３にランプ位置決め保持支柱３２を挿入して保持具載置部３３に保持具１を載置させる。続いて、ランプ２をランプ位置決め保持支柱３２に沿って所定の数まで積み重ねる。この際図８に示すように、ランプ２を保持具１の蓋部１２側にずらして積み重ねる。所定の数のランプ２を積み重ねた後、折り曲げ部２４を折り曲げて第２のランプ保持部９（図２参照。）を形成すると共に、他の部分も折り曲げてランプ保護箱７（図２参照。）を角筒状に組み立てる。その後、積み重ねられたランプ２をＡ方向に押し込み、ランプ２の両端５を第２のランプ保持部９（図２参照。）とランプ保護箱７（図２参照。）と間に挿入する。最後に、蓋部１２を閉じることにより、図１で示したように保持具１にランプ２を複数本収納・保持することができる。
【００３５】
専用の梱包治具３０を使用することにより、ランプの梱包作業を容易かつ迅速に行うことができ、作業効率を向上できる。
【００３６】
（実施形態３）
次に、本発明のランプの梱包用保持具の他の実施の形態について説明する。
【００３７】
図１０は、本実施形態の保持具にランプを保持させた状態の斜視図Ａとそのランプの斜視図Ｂである。図１１は、図１０のＩ−Ｉ線矢視断面図である。図１２は、本実施形態の保持具にランプを収納した状態の平面図である。図１３は、図１２の状態から第２のランプ保護箱を最大限に引き出した状態の平面図である。図１４は、本実施形態の第１のランプ保護箱の組み立て前の展開平面図Ａと第２のランプ保護箱の組み立て前の展開平面図Ｂである。図１５は、本実施形態の保持具の蓋部の開閉方法を説明する要部斜視図である。なお、図１０〜図１５では、図１〜図６と同一部分または対応部分には同一の符合を付した。また、本実施形態では、実施形態１の説明と重複する部分の説明は、一部を除いて省略した。
【００３８】
図１０〜図１３に示すように、本実施形態の保持具１は、第１のランプ保護箱７ａと第２のランプ保護箱７ｂとを備える以外は、実施形態１の保持具１とほぼ同様の構成であるり、ほぼ同様の効果を有する。第１のランプ保護箱７ａは、スライド溝３６を備え、第２のランプ保護箱７ｂは、突出片１０ｄを備えている。また、第２のランプ保護箱７ｂの一部は、第１のランプ保護箱７ａの内部に挿入されており、突出片１０ｄはスライド溝３６に挿入されている。突出片１０ｄは、スライド溝３６内を移動可能であり、これにより第１のランプ保護箱７ａと第２のランプ保護箱７ｂとは、相互にスライドすることができる。このように、本実施形態の保持具１は長さの異なる複数の種類のランプに対応できる。
【００３９】
また、図１１に示すように、第２のランプ保護箱７ｂは蓋部１２を備え、蓋部１２は断面Ｖ字状に形成されている。ランプ２は、第２のランプ保持部９と蓋部１２との間に配置されていると共に、蓋部１２はスプリングバック作用により、ランプ２を第２のランプ保持部９の方向に押圧して保持している。この蓋部１２と第２のランプ保持部９とにより、ランプ２の長手向の動きが規制され、衝撃などが加わってもランプ２の揺動、破損などをより効果的に防止できる。また、ランプ２の長さに若干の変動があっても、蓋部１２のスプリングバック作用により、ランプ２の長さの変動を吸収することができる。
【００４０】
また、図１４Ａ、Ｂに示すように、第１のランプ保護箱７ａと第２のランプ保護箱７ｂとは、それぞれ段ボールなどの紙板材の打ち抜き加工により形成できる。また、第１のランプ保護箱７ａと第２のランプ保護箱７ｂとは、それぞれ第１側面部１７ａ、１７ｂ、第２側面部１８、第３側面部１９、第４側面部２０を備えている。また、第２のランプ保護箱７ｂの第４側面部２０の一端に設けられた蓋部１２は、折り曲げ可能に形成されている。なお、図１４Ａ、Ｂにおいて破線は折り目を示し、実線は外形線または切り目を示す。
【００４１】
本実施形態の保持具１を組み立てるには、先ず図１４Ｂに示した係合突起２１を係合用切り目２２に挿入することにより、第２のランプ保護箱７ｂを角筒状に形成する。次に、角筒状の第２のランプ保護箱７ｂを第１のランプ保護箱７ａで包むように、図１４Ａに示した係合突起２１を係合用切り目２２に挿入することにより、第２のランプ保護箱７ｂを内部に収納した状態で、第１のランプ保護箱７ａを角筒状に形成すれば、本実施形態の保持具１が完成する。
【００４２】
本実施形態の保持具１にランプ２を収納する場合は、図１５Ａに示すように、蓋部１２を開口した状態で、図１０に示すように、脚部３からランプ２を保持具１内に挿入すればよい。その後、蓋部１２を閉める際には、図１５Ａ、Ｂに示すように、蓋部１２を折り曲げて形成し、蓋部１２の突起部１２ａを指穴２３に挿入した後、第２のランプ保護箱７ｂに設けられた切り込み２５の近傍のコーナー部２８を内側に折り返してロック部２９を形成する。また、蓋部１２を開口する際には、ロック部２９を折り返して元のコーナー部２８を復元することにより、蓋部１２の規制を解除すればよい。
【００４３】
また、本実施形態の保持具１は、図１６Ａに示すように、第１の切り込み２５ａと第２の切り込み２５ｂとを設けて、第１のコーナー部２８ａと第２のコーナー部２８ｂとを形成してもよい。これにより、蓋部１２と第２のランプ保持部９との間隔を微調整でき、より細かくランプの長さの変化に対応できる。この場合に蓋部１２を閉めるには、図１６Ｂに示すように、蓋部１２を折り曲げて形成し、蓋部１２の突起部１２ａを指穴２３に挿入した後、第１のコーナー部２８ａを内側に折り返して第１のロック部２９ａを形成すればよい。また、図１６Ｃに示すように、蓋部１２をさらに内側に押し込んだ後、第２のコーナー部２８ｂを内側に折り返して第２のロック部２９ｂを形成することもできる。
【００４４】
また、本実施形態の保持具１は、図１７および図１８に示すように、第１のランプ保護箱７ａのスライド溝３６に段差３７または突起３８を設けることができる。これにより、保持具１の長さの調節が正確に行えると共に、振動などが加わっても第１のランプ保護箱７ａと第２のランプ保護箱７ｂとの位置が変動することがない。なお、図１７のように、段差３７を設ける場合は、第２のランプ保護箱７ｂの突出片１０ｄがＢ方向へ移動する際に障害となるように段差３７を設ける。
【００４５】
（実施形態４）
次に、実施形態１と２の保持具に共通する変形例を説明する。図１９Ａ、Ｂ、Ｃは、図１および図１０に示した外圧緩衝用の突出片１０ａの部分の模式図である。突出片１０ａは、図１９Ａに示すように、その端部を折り曲げて形成してもよく、図１９Ｂに示すように、相互に垂直な二方向に延びるように形成してもよい。これにより、多方向からの外衝撃を吸収してランプを保護できる。また、突出片１０ａは、図１９Ｃに示すように、長尺の突出片１０ａを折り曲げて形成してもよい。これにより、突出片１０ａのスプリングバック機能を利用して外衝撃を吸収してランプを保護できる。さらに、図１および図１０に示した外圧緩衝用の突出片１０ｂ、１０ｃについても上記と同様に形成することができる。
【００４６】
続いて、実施形態１と２の保持具に共通する他の変形例を説明する。第１のランプ保持部８または第２のランプ保持部９は、必ずしもランプ保護箱７または第１のランプ保護箱７ａと一体として形成する必要はなく、別部品として形成してもよい。図２０、図２１は、第１のランプ保持部８または第２のランプ保持部９を独立して形成した別部品の模式図である。図２０Ａおよび図２１Ａに示した別部品は、第２のランプ保持部９として用いられる。図２０Ｂおよび図２１Ｂに示した別部品は、第１のランプ保持部８および第２のランプ保持部９のいずれにも用いられる。図２０Ｃに示した別部品は、第１のランプ保持部８として用いられる。上記別部品を第１のランプ保持部８として用いる場合は、保持具１にランプ２を収納した後に、上記別部品を外側からランプ２の脚部３の内側に挿入すればよい。また、上記別部品を第２のランプ保持部９として用いる場合は、例えば図２２に示すように、予めランプ保護箱７の端部に上記別部品（第２のランプ保持部９）を配置した後、ランプ保護箱７にランプ２を収納すればよい。なお、図２２Ａは、図２０Ａに示した別部品を配置した例であり、図２２Ｂは、図２１Ａに示した別部品を配置した例である。
【００４７】
上記別部品の材質としては、例えば、スポンジ、ゴム、樹脂成形材、中空エアシート材などを用いることができる。また、上記別部品の表面にフィルムなどを貼り合わせることもできる。フィルムを貼り合わせることにより、表面の滑りを良好にでき、上記別部品とランプとの摩擦を減少させて、ランプの破損を確実に防止できる。
【産業上の利用可能性】
【００４８】
以上説明したように本発明は、Ｕ字状のランプを箱に入れて運搬などを行う場合にランプの揺動、破損などを防止することができるランプの梱包用保持具を提供することができ、その工業的価値は大である。
【図面の簡単な説明】
【００４９】
【図１】実施形態１の保持具にランプを保持させた状態の透視図Ａとそのランプの斜視図Ｂである。
【図２】図１のＩ−Ｉ線矢視断面図である。
【図３】実施形態１の保持具にランプを収納した状態の平面図である。
【図４】実施形態１の保持具の組み立て前の展開平面図である。
【図５Ａ】実施形態１の保持具を組み立てた後の平面図である。
【図５Ｂ】実施形態１の保持具を組み立てた後の左側面図である。
【図５Ｃ】実施形態１の保持具を組み立てた後の正面図である。
【図５Ｄ】実施形態１の保持具を組み立てた後の右側面図である。
【図５Ｅ】実施形態１の保持具を組み立てた後の底面図である。
【図５Ｆ】実施形態１の保持具を組み立てた後の背面図である。
【図６】実施形態１の保持具の蓋部の開閉方法を説明する要部斜視図である。
【図７】実施形態２の梱包治具の斜視図である。
【図８】実施形態２の梱包治具を用いて実施形態１で説明した組み立て前の保持具にランプを収納中の平面図である。
【図９】図８の側面図である。
【図１０】実施形態３の保持具にランプを保持させた状態の斜視図Ａとそのランプの斜視図Ｂである。
【図１１】図１０のＩ−Ｉ線矢視断面図である。
【図１２】実施形態３の保持具にランプを収納した状態の平面図である。
【図１３】図１２の状態から第２のランプ保護箱を最大限に引き出した状態の平面図である。
【図１４】実施形態３の第１のランプ保護箱の組み立て前の展開平面図Ａと第２のランプ保護箱の組み立て前の展開平面図Ｂである。
【図１５】実施形態３の保持具の蓋部の開閉方法を説明する要部斜視図である。
【図１６】実施形態３の保持具の変形例を示す要部斜視図である。
【図１７】実施形態３の保持具の変形例を示す要部斜視図である。
【図１８】実施形態３の保持具の変形例を示す要部斜視図である。
【図１９】外圧緩衝用の突出片１０ａの部分の模式図である。
【図２０】第１のランプ保持部８または第２のランプ保持部９を独立して形成した別部品の模式図である。
【図２１】第１のランプ保持部８または第２のランプ保持部９を独立して形成した別部品の模式図である。
【図２２】別部品として形成した第２のランプ保持部９をランプ保護箱７に配置してランプ２を収納した状態の断面図である。
【符号の説明】
【００５０】
１  保持具
２  ランプ
３  脚部
４  連結部
５  ランプの両端
６  端子部
７  ランプ保護箱
７ａ  第１のランプ保護箱
７ｂ  第２のランプ保護箱
８  第１のランプ保持部
９  第２のランプ保持部
１０ａ、１０ｂ、１０ｃ、１０ｄ  突出片
１１  保持片
１２  蓋部
１２ａ  突起部
１３  梱包治具挿入用窓部
１４ａ、１４ｂ  点灯検査用窓部
１５  第１のランプ保持部の端部
１６  係止口
１６ａ１、１６ａ２、１６ｂ１、１６ｂ２  打ち抜き部
１７ａ、１７ｂ  第１側面部
１８  第２側面部
１９  第３側面部
２０  第４側面部
２１  係合突起
２２  係合用切り目
２３  指穴
２４  第２のランプ保持部を形成するための折り曲げ部
２５  切り込み
２５ａ  第１の切り込み
２５ｂ  第２の切り込み
２６  第１のランプ保持部を形成するための折り曲げ部
２７  開口部
２８  コーナー部
２８ａ  第１のコーナー部
２８ｂ  第２のコーナー部
２９  ロック部
２９ａ  第１のロック部
２９ｂ  第２のロック部
３０  梱包治具
３１  基板
３２  ランプ位置決め保持支柱
３３  保持具載置部
３４  大型の開口部
３５  小型の開口部
３６  スライド溝
３７  段差
３８  突起
【図１】
2005247426.tif 000003
【図２】
2005247426.tif 000004
【図３】
2005247426.tif 000005
【図４】
2005247426.tif 000006
【図５Ａ】
2005247426.tif 000007
【図５Ｂ】
2005247426.tif 000008
【図５Ｃ】
2005247426.tif 000009
【図５Ｄ】
2005247426.tif 000010
【図５Ｅ】
2005247426.tif 000011
【図５Ｆ】
2005247426.tif 000012
【図６】
2005247426.tif 000013
【図７】
2005247426.tif 000014
【図８】
2005247426.tif 000015
【図９】
2005247426.tif 000016
【図１０】
2005247426.tif 000017
【図１１】
2005247426.tif 000018
【図１２】
2005247426.tif 000019
【図１３】
2005247426.tif 000020
【図１４】
2005247426.tif 000021
【図１５】
2005247426.tif 000022
【図１６】
2005247426.tif 000023
【図１７】
2005247426.tif 000024
【図１８】
2005247426.tif 000025
【図１９】
2005247426.tif 000026
【図２０】
2005247426.tif 000027
【図２１】
2005247426.tif 000028
【図２２】
2005247426.tif 000029